(57)【要約】【課題】従来の保温カバーに比べて断熱性に優れており、使い捨てコップ内の飲料を長時間保温でき、美味しく飲むことができる保温カバーを提供すること。【解決手段】円錐台形状の使い捨てコップ２を嵌め込むことができる使い捨てコップ用保温カバー１であって、コップ２の外周面２ａを覆う外周部１ａと、コップ２の底面２ｂを覆う底部１ｂと、を備え、コップ２が保温カバー１に嵌め込まれると、コップ２の外周面２ａ及び底面２ｂを保温カバー１で覆うことができる。底部１ｂは、その外面に滑り止めゴム１３を備える。【選択図】図２
2016077339.tif 000002
【特許請求の範囲】
【請求項１】
円錐台形状の使い捨てコップ（２）を嵌め込むことができる使い捨てコップ用保温カバー（１）であって、
前記コップ（２）の外周面（２ａ）を覆う外周部（１ａ）と、
前記コップ（２）の底面（２ｂ）を覆う底部（１ｂ）と、を備え、
前記コップ（２）が前記保温カバー（１）に嵌め込まれると、前記コップ（２）の外周面（２ａ）及び底面（２ｂ）を前記保温カバー（１）で覆うことができる
ことを特徴とする使い捨てコップ用保温カバー。
【請求項２】
前記外周部（１ａ）及び前記底部（１ｂ）は、外層（１１）、中間層（１０）及び内層（１２）の３層で構成されており、
前記外層（１１）及び前記内層（１２）は、布製生地で構成され、
前記中間層（１０）は、前記外層（１１）及び前記内層（１２）の間に配置されると共に、断熱性を有する素材で構成される
ことを特徴とする請求項１に記載の保温カバー。
【請求項３】
前記内層（１２）は、前記コップ（２）が滑り易く、かつ、前記コップ（２）の結露を吸収する素材で構成される
ことを特徴とする請求項２に記載の保温カバー。
【請求項４】
前記中間層（１０）は、ゴムで構成される
ことを特徴とする請求項２又は３に記載の保温カバー。
【請求項５】
前記底部（１ｂ）は、その外面に滑り止めゴム（１３）を備える
ことを特徴とする請求項１〜４のいずれかに記載の保温カバー。
【発明の詳細な説明】
【技術分野】
【０００１】
本発明は、紙コップ及びプラスチックコップ等の使い捨てコップに収納されたコーヒー等の飲料を長時間保温するための保温カバーに関する。
【背景技術】
【０００２】
コーヒー等の飲料を包装するための紙コップ及びプラスチックコップ等の円錐台形状の使い捨てコップは周知である。使い捨てコップは、単に紙又はプラスチックで構成されているので、断熱性を有していないため、コップ内の飲料は、冬季においては、すぐに冷めてしまい、また、夏季においては、すぐに暖かくなっていた。そこで、断熱性を向上させるために使い捨てコップに保温カバーを装着して、飲料がすぐに冷めたり暖かくなったりしないことが望まれる。
【０００３】
従来の保温カバーとして、例えば特許文献１の保温カバーが開示されている。従来の保温カバーは、使い捨てコップの外周面のみを覆うものであって、コップの底面を覆うことができないので、コップの外周面を断熱できるが、コップの底面を断熱できなかった。そのため、コップの底面を通じて、外気温度が飲料に伝熱され、コップ内の飲料を長時間保温できず、長時間が経過すると、美味しく飲むことができなかった。
【先行技術文献】
【特許文献】
【０００４】
【特許文献１】特開２０００−２２９６７８号公報
【発明の概要】
【発明が解決しようとする課題】
【０００５】
そこで、本発明が解決しようとする課題は、従来の保温カバーに比べて断熱性に優れており、使い捨てコップ内の飲料を長時間保温でき、美味しく飲むことができる保温カバーを提供することにある。
【課題を解決するための手段】
【０００６】
上記課題を解決するために、本発明に係るコップ用保温カバーは、
円錐台形状の使い捨てコップを嵌め込むことができる使い捨てコップ用保温カバーであって、
コップの外周面を覆う外周部と、
コップの底面を覆う底部と、を備え、
コップが保温カバーに嵌め込まれると、コップの外周面及び底面を保温カバーで覆うことができる。
【０００７】
好ましくは、
外周部及び底部は、外層、中間層及び内層の３層で構成されており、
外層及び内層は、布製生地で構成され、
中間層は、外層及び内層の間に配置されると共に、断熱性を有する素材で構成される。
【０００８】
好ましくは、
内層は、コップが滑り易く、かつ、コップの結露を吸収する素材で構成される。
【０００９】
好ましくは、
中間層は、ゴムで構成される。
【００１０】
好ましくは、
底部は、その外面に滑り止めゴムを備える。
【発明の効果】
【００１１】
本発明に係る保温カバーは、従来の保温カバーに比べて断熱性に優れており、使い捨てコップ内の飲料を長時間保温でき、美味しく飲むことができる。
【図面の簡単な説明】
【００１２】
【図１】使い捨てコップ用保温カバーを示す斜視図。
【図２】（Ａ）は、使い捨てコップに保温カバーを装着した状態を示す断面図、（Ｂ）は、（Ａ）に示された円部分を拡大して示す断面図。
【図３】温かい飲料において、保温カバーがある場合と保温カバーがない場合とで、コップ内の飲料の温度と経過時間との関係を示すグラフ。
【図４】冷たい飲料において、保温カバーがある場合と保温カバーがない場合とで、コップ内の飲料の温度と経過時間との関係を示すグラフ。
【発明を実施するための形態】
【００１３】
以下、図面に基づいて、本発明に係る使い捨てコップ用保温カバーについて説明する。
【００１４】
図１の通り、紙コップやプラスチックコップ等の使い捨てコップ２（以下「コップ」という）は、円錐台形状である。図２の通り、コップ２は、外周面２ａ及び底面２ｂを有しており、上方が開口している。そのため、コップ２は、コーヒー等の飲料を収納できる。一般的に、コップ２は、使用後すぐに廃棄されるため、紙やプラスチックなどの安価な素材で形成される。
【００１５】
同様に、図１の通り、使い捨てコップ用保温カバー１（以下「保温カバー」という）も、円錐台形状である。保温カバー１は、コップ２を嵌め込むことができる。保温カバー１をコップ２に嵌め込むと、保温カバー１の内面がコップ２の外面にぴたりと当接するように構成されている。保温カバー１の高さは、コップ２の高さより低くなっている。これにより、保温カバー１をコップ２に嵌め込んだときに、使用者の口をコップ２の上部に当てることができるようになっている。
【００１６】
コップ２は、例えば、上直径φ１が７．５〜１０ｃｍ、下直径φ２が５〜６ｃｍ、高さｈ１が９〜１６．５ｃｍとなっている。そのため、保温カバー１は、コップ２にぴたりと嵌め込まれるように、例えば、上直径φ３が８〜１０ｃｍ、下直径φ４が５〜７ｃｍ、高さｈ２が９〜１６ｃｍとなる。なお、保温カバー１は、様々なサイズのコップ２にぴたりと嵌め込まれるように、ある程度の伸縮性を有することが好ましい。
【００１７】
図２（Ａ）の通り、保温カバー１は、コップ２の外周面２ａを覆う外周部１ａと、コップ２の底面２ｂを覆う底部１ｂと、を備える。そのため、コップ２を保温カバー１に嵌め込むと、コップ２の外周面２ａ及び底面２ｂを保温カバー１で覆うことができる。
【００１８】
図２（Ｂ）の通り、保温カバー１の外周部１ａ及び底部１ｂは、外層１１、中間層１０及び内層１２の３層で構成される。外層１１及び内層１２は、布製生地で構成される。中間層１０は、外層１１及び内層１２の間に配置されると共に、断熱性を有する素材で構成される。中間層１０は、例えば偏平なゴム、繊維系断熱材、発泡系断熱材等で構成される。
【００１９】
中間層１０が断熱性素材で構成されることにより、外気温度がコップ２内の飲料に伝熱されることを防止できる。さらに、保温カバー１は、コップ２の外周面２ａだけでなく底面２ｂも覆うことができるので、コップ２内の飲料を長時間保温できる。また、中間層１０が断熱素材で構成されることにより、コップ２内の飲料の熱が使用者の持ち手に伝わりにくいので、飲料が非常に熱かったり冷たかったりする場合でも、コップ２を持ち易いという利点がある。
【００２０】
保温カバー１に対してコップ２をスムースに出し入れし易いように、保温カバー１の内層１２は、滑り易い素材で構成される。また、外気温度よりも温度の低い飲料をコップ２内に収納するときは、コップ２の外周部２ａが結露するので、結露した水を吸収するために、保温カバー１の内層１２は、水を吸収し易い素材で構成される。そのため、保温カバー１の内層１２は、例えば植物繊維、動物繊維、化学繊維等の布生地で構成される。保温カバー１がコップ２の結露を吸収するので、コップ２が載置される机等は濡れず、綺麗な状態を保持できる。さらに、保温カバー１がコップ２の結露を吸収することで、使用者の手が濡れずに、コップ２を持つことができる。
【００２１】
そして、保温カバー１の外層１１は、表面に模様やマーク等を印刷し易い生地で構成される。さらに、保温カバー１の底部１ｂは、その外面に偏平な滑り止めゴム１３を備える。これにより、保温カバー１を装着したコップ２が滑って倒れることを防止できる。
【００２２】
上記の通り、保温カバー１は、コップ２の外周を覆うように構成されているので、コップ２の強度を補完できる。これにより、保温カバー１は、コップ２の強度不足によってコップ２の上部に装着される蓋が不意に外れて飲料がこぼれることを防止できる。
【００２３】
次に、コップ２に保温カバー１を装着したときにおける、コップ２内の飲料の温度変化及びコップ２の表面の温度変化の実験をした。その実験データについて説明する。
【００２４】
[温かい飲料の場合]
温かい飲料をコップ２に収納した場合、コップ２に保温カバー１を装着した状態と、コップ２に保温カバー１を装着しない状態とにおいて、コップ２内の飲料の温度（℃）及びコップ２の表面の温度変化（℃）と時間経過（分）との関係を表１で示す。図３は、コップ２内の飲料の温度（℃）と時間経過（分）との関係を示す。
【００２５】
【表１】
2016077339.tif 000003
【００２６】
表１の通り、使用者が飲料を少しずつ飲むことを想定して、５分後、１５分後及び２５分後に飲料を１／４減らす。表１及び図３の通り、保温カバー１があるコップ２内の飲料の温度は、保温カバー１がないコップ２内の飲料の温度に比べて、約１．０〜４．０度高くできることがわかった。これにより、温かい飲料を温かい温度で長時間保持できるので、美味しく飲むことができる。
【００２７】
また、表１の通り、保温カバー１があるコップ２の表面の温度は、保温カバー１がないコップ２の表面の温度に比べて、約１．６〜７．０度低くできることがわかった。これにより、熱い飲料の場合でも、コップ２の表面の温度が熱くなり過ぎず適切な温度に保持できるので、使用者はコップ２を持ち易いようになっている。
【００２８】
[冷たい飲料の場合]
冷たい飲料をコップ２に収納した場合、コップ２に保温カバー１を装着した状態と、コップ２に保温カバー１を装着しない状態とにおいて、コップ２内の飲料の温度（℃）及びコップ２の表面の温度変化（℃）と時間経過（分）との関係を表２で示す。図４は、コップ２内の飲料の温度（℃）と時間経過（分）との関係を示す。
【００２９】
【表２】
2016077339.tif 000004
【００３０】
表２の通り、使用者が飲料を少しずつ飲むことを想定して、５分後、１５分後及び２５分後に飲料を１／４減らす。表２及び図４の通り、保温カバー１があるコップ２内の飲料の温度は、保温カバー１がないコップ２内の飲料の温度に比べて、約０．６〜２．８度低くできることがわかった。これにより、冷たい飲料を冷たい温度で長時間保持できるので、美味しく飲むことができる。
【００３１】
また、表２の通り、保温カバー１があるコップ２の表面の温度は、保温カバー１がないコップ２の表面の温度に比べて、約４．７〜６．２度高くできることがわかった。これにより、冷たい飲料の場合でも、コップ２の表面の温度が冷たくなり過ぎず適切な温度に保持できるので、使用者はコップ２を持ち易いようになっている。
【００３２】
以上、本発明の好ましい実施形態を説明したが、本発明の構成はこれらの実施形態に限定されるものではない。
【符号の説明】
【００３３】
１  保温カバー
１ａ  保温カバーの外周部
１ｂ  保温カバーの底部
２  使い捨てコップ
２ａ  コップの外周面
２ｂ  コップの底面
１０  保温カバーの中間層
１１  保温カバーの外層
１２  保温カバーの内層
１３  滑り止めゴム
【図１】
2016077339.tif 000005
【図２】
2016077339.tif 000006
【図３】
2016077339.tif 000007
【図４】
2016077339.tif 000008